(57)【要約】  本発明は、少なくとも１つの引き出し（１００）と、引き出し（１１０）の外側壁に取り付けられた少なくとも１つの停止手段と、停止手段に係合するための少なくとも１つの掛止手段とを備える、キャビネット（１００）を開示し、掛止手段は、キャビネット（１００）が傾いたとき、引き出し（１１０）がキャビネット（１００）から落ちることを防止するために、掛止手段は回転し停止手段と係合するように、キャビネット（１００）の内側に枢動可能に取り付けられる。
2020532396.tif 000002
【特許請求の範囲】
【請求項１】
キャビネット（１００）であって、
少なくとも１つの引き出し（１１０）と、
前記引き出し（１１０）の外側壁に取り付けられた少なくとも１つの停止手段と、
前記停止手段に係合するための少なくとも１つの掛止手段と、を備え、
前記掛止手段は、前記キャビネット（１００）が傾いたとき、前記引き出し（１１０）が前記キャビネット（１００）から落ちることを防止するために、前記掛止手段は回転し前記停止手段と係合するように、前記キャビネット（１００）の内側に枢動可能に取り付けられる、キャビネット。
【請求項２】
前記引き出し（１１０）は、さらに、開位置と閉位置との間で摺動可能に移動可能である前記引き出し（１１０）用の誘導部を備える、請求項１に記載のキャビネット。
【請求項３】
前記掛止手段は略Ｃ型のプレート（２００）である、請求項１に記載のキャビネット。
【請求項４】
前記掛止手段は、さらに、前記停止手段への前記プレート（２００）の係合を向上させるために、前記プレート（２００）の内側に、歯状表面（２０２）を含む、請求項３に記載のキャビネット。
【請求項５】
前記プレート（２００）は、ファスナによって、前記キャビネット（１００）の内側に枢動可能に取り付けられる、請求項３または４に記載のキャビネット。
【請求項６】
前記停止手段は、前記引き出し（１１０）から延在する突起（２１０）である、請求項１に記載のキャビネット。
【請求項７】
前記キャビネット（１００）の傾きにより、プレートの底端が、前記引き出し（１１０）が前記キャビネット（１００）から落ちることを防止するために突起上に掛止するように、前記プレートを回転させる、請求項３または６に記載のキャビネット。
【請求項８】
引き出し（１１０）がキャビネット（１００）から落ちることを防止するための安全デバイスであって、
上端及び底端を有する略Ｃ型プレート本体と、
前記キャビネット（１００）の前記プレート本体に枢動可能に取り付けるための手段と、を備え、
前記キャビネット（１００）の傾きは、前記底端が前記引き出し（１１０）の一部に掛止するように、前記プレート本体を回転させる、安全デバイス。
【請求項９】
前記底端は、前記引き出し（１１０）への前記底端の係合を向上させるための歯状内側表面（２０２）を含む、請求項８に記載の安全デバイス。
【発明の詳細な説明】
【技術分野】
【０００１】
本発明は安全デバイスに関する。より具体的には、本発明は、傾くとき、自然に発生する開きを防止するための安全デバイスに関する。
【背景技術】
【０００２】
地震は、多くの場合、様々なマグニチュードの振動をもたらす。時々、そのマグニチュードは家具を落下させるくらい十分に強い可能性がある。家具が引き出しを装備しているとき、死亡事故が起こり得る。係る事故は、引き出しが滑り出し、近くの人に当たることを生じさせる家具の傾きを含み得る。別に報告された出来事では、家具に登ることを試みる子供が家具を転倒させて、けがをもたらした。これらの事故は、引き出しの安全性の世間の注目を集めている。したがって、前述の事故を回避するために、引き出しに適用される安全デバイスを有することが重要である。
【０００３】
長年にわたって、前述の安全デバイスに関連する少しの特許技術が存在している。引き出しスライドチャイルドロックに関して着目すると、米国特許第５８２３６４９号明細書に開示されており、この特許は、引き出しが部分的に開いているときにアクセス可能であるレバーに搭載される拘束部材を有することによって、引き出しの開きを防止するのに適切な安全デバイスに関する教示を提供している。代わりに、拘束部材は、引き出しに搭載された引き出しスライド内のスロットを通って、引き出しに搭載された引き出しスライドローラを通って、キャビネットに搭載された引き出しスライドローラスロットに係合する、またはキャビネット面の内部に係合する。しかしながら、このデバイスの欠点は、引き出しの従来の動作を可能にするために、拘束部材を手動で係脱する必要があることである。
【０００４】
加えて、別の特許文献の米国特許第４１３９２４９号明細書は、ばね付勢式拘束部材を伴う子どもに安全なキャビネットラッチを開示している。拘束部材は、引き出しの制限された開き運動だけを可能にする第１の位置と、引き出し移動が制限されない第２の位置との間で移動可能である。それにもかかわらず、開示されている発明は、機械の故障が原因で信頼性が少ない。
【０００５】
要約するために、上述の欠点を克服するために、安全デバイスを引き出しに提供する必要がある。本発明は係るデバイスを提供する。
【先行技術文献】
【特許文献】
【０００６】
【特許文献１】米国特許第５８２３６４９号明細書
【特許文献２】米国特許第４１３９２４９号明細書
【発明の概要】
【発明が解決しようとする課題】
【０００７】
本発明の主な目的は、少なくとも１つの引き出しと、引き出しの外側壁に取り付けられた少なくとも１つの停止手段と、停止手段に係合するための少なくとも１つの掛止手段とを備える、キャビネットに関することであり、掛止手段は、キャビネットが傾いたとき、引き出しがキャビネットから落ちることを防止するために、掛止手段は回転し停止手段と係合するように、キャビネットの内側に枢動可能に取り付けられる。
【課題を解決するための手段】
【０００８】
好ましくは、引き出しは、さらに、引き出しが開位置と閉位置との間で摺動可能であることを可能にするための手段を備える。
【０００９】
好ましくは、掛止手段は略Ｃ型プレートである。
【００１０】
好ましくは、掛止手段は、さらに、停止手段へのプレートの係合を向上させるために、プレートの内側に位置付けられる、歯状表面を含む。
【００１１】
好ましくは、掛止手段は、さらに、キャビネット上への掛止手段の枢動可能な取り付けを可能にするための手段を含む。
【００１２】
好ましくは、停止手段は引き出しから延在する突起である。
【００１３】
好ましくは、キャビネットの傾きにより、プレートの底端が、引き出しがキャビネットから落ちることを防止するために突起上に掛止するように、プレートを回転させる。
【００１４】
本発明の第２の目的は、引き出しがキャビネットから落ちることを防止するための安全デバイスを提供することであり、安全デバイスは、上端及び底端を有する略Ｃ型プレート本体と、キャビネットにプレート本体を枢動可能に取り付けるための手段とを備え、キャビネットの傾きにより、底端が引き出しの一部に掛止するように、プレート本体を回転させる。
【００１５】
好ましくは、底端は、引き出しへの底端の係合を向上させるための歯状内側表面を含む。
【００１６】
当業者は、本発明は、目的を実施し、言及される結果ならびに利点、及びそれに内在するものを取得することに十分に適合することを容易に認識するであろう。本明細書に説明される実施形態は、本発明の範囲への制限が意図されない。
【００１７】
本発明の理解を容易にする目的のために、本発明の検証から得られた好ましい実施形態が、付随の図面に示され、以下の説明に関連して考慮されるとき、本発明、その構成ならびに動作、及びその多くの利点は、容易に理解及び認識されるであろう。
【図面の簡単な説明】
【００１８】
【図１】安全デバイスアセンブリを伴うキャビネットを示す図である。
【図２】安全デバイスを示す図である。
【発明を実施するための形態】
【００１９】
ここで、本発明は、図面を参照して、例として、さらに詳細に説明される。
【００２０】
図１は、引き出し１１０の移動を制限するために統合された安全デバイスを伴うキャビネット１００を示す。キャビネット１００は、少なくとも１つの引き出し１１０を収容するように設計され、それによって、引き出し１１０は各側のレール１１１のアセンブリによってキャビネット内部に摺動可能に受容される。レール１１１は、キャビネット１００上に搭載される筐体レール構成要素と、引き出し１１０の側面に搭載される引き出しレール構成要素とを備え、それにより、引き出しレール構成要素は、開位置と閉位置との間で、引き出し１１０の摺動変位を可能にするために筐体レールによって受容される。本発明に従った安全デバイスは、引き出しレール１１１の上方の引き出し１１０の外側壁に取り付けられた突起２１０と、キャビネット１００の内側に一般的に取り付けられた対応する掛止プレート２００とを含む。好ましくは、引き出し１１０のそれぞれは、各側の一方に、２つの安全デバイスが付けられている。
【００２１】
図２は安全デバイスの詳細な構成を示す。安全デバイスは、底端に歯状表面２０２及び上端に重い部分を伴う、略Ｃ型掛止プレート２００を備える。Ｃ型掛止プレート２００は、Ｃ型掛止プレート２００をキャビネット１００の内側壁に取り付けるためのねじファスナ用の孔２０１を備える。Ｃ型掛止プレート２００が自由に回転することを可能にするいくつかの垂直方向の許容値を有するように、Ｃ型掛止プレート２００は締められる。また、安全デバイスは、さらに、停止手段として働く略Ｌ型突起２１０を備える。Ｌ型突起２１０は、Ｌ型突起２１０を引き出しの側壁上に固定するために、ファスナが通過することを可能にする少なくとも１つの孔を含む。
【００２２】
安全デバイスは、２つの位置（すなわち、ロック位置とロック解除位置と）の間で揺動し、それによって、安全デバイスは、掛止プレート２００が突起２１０と係合するときロック位置にあり、掛止プレート２００が突起２１０から係脱するときロック解除位置にある。動作時、安全デバイスがロック位置にあるまで、キャビネット１００がどれくらい傾くかにかかわらず、掛止プレート２００が重力によって地面に対して直立位置を常に維持するように、掛止プレート２００はキャビネット１００に取り付けられる。それにもかかわらず、キャビネット１００が傾くとき、掛止プレート２００は、ロック位置までキャビネット１００に対して回転する。好ましくは、キャビネット１００の傾きは、キャビネット１００の転倒を生じさせ得る、移動中の車両、地震、または開いた引き出しに子供が登るもしくは入ろうと試みることによる、かなりの振動によって生じる。
【００２３】
別の実施形態では、キャビネット１００の位置が正常位置に戻るとき、掛止プレート２００は、元の位置に戻るように回転する。結果として、引き出し１１０の摺動通路はロック解除され、これにより、引き出し１１０が、開位置と閉位置との間で自由に摺動することができる。掛止プレート２００の自動復帰は、引き出し１１０を連続的に開けることを可能にし、引き出し１１０を閉じる際に動作の組み合わせを必要とする。
【００２４】
本発明の開示は、添付の請求項に含有されるものと、前述の説明のものとを含む。本発明はある程度の特殊性があるその好ましい形態で説明されているが、本発明の範囲から逸脱することなく、本発明の好ましい形態の開示は単なる例としてなされたことと、構成の詳細のいくつかの変更及び部品の組み合わせならびに配置が使われ得ることとが理解される。
【図１】
2020532396.tif 000003
【図２】
2020532396.tif 000004
【国際調査報告】
2020532396.tif 000005
2020532396.tif 000006
2020532396.tif 000007